(57)【要約】      （修正有）【課題】補助起動力付きの腕力トレーニングボールの提供。【解決手段】上部ケースと下部ケースは互いに組み立てられており、回転球体を中に納入するようにカバーしている。上部ケースの頂上は開き口があり、部分の回転球体を露出させている。回転球体の両端に設けられた回転軸は外リングに連結している。外リングには少なくとも一つの弾力装置があり、そして、対応している弾力装置の回転球体の一側面内に、最低に一つの可動式掛け金が設置されている。当該可動式掛け金は、弾力装置に連結するのに使われ、回転球体の局部を回転させたり、物体表面を接触して直線に引きずったりすることにより、弾力装置の弾力を圧縮する。そして、回転球体を離した後に、弾力装置が釈放する弾力によって回転球体の回転を反対方向に起動させる補助動力及び初期回転速度を生成し、可動式掛け金を遠心力で弾力装置から離れるようにする。【選択図】図１
0003127440.tif 000002
【実用新案登録請求の範囲】
【請求項１】
上部ケースと下部ケース、回転球体、外リング、弾力装置及び可動式掛け金構造を含み、
上部ケースと下部ケースは中が中空状で、上部ケースと下部ケースは組み立てられるものであり、中に収納スペースを形成し、上部ケースの頂上には開き口を設け、
回転球体は上部ケースと下部ケースとの間に形成された収納スペースに収められ、両側にはそれそれの回転軸が設けられており、部分の回転球体は上部ケースの頂上にある開き口から露出し、
外リングは下部ケースの頂上に位置しており、外リングの両端にはそれぞれの穴が設けられ、回転球体の両側の回転軸を進入させて連結させ、
弾力装置は外リングの片端の穴に対応する位置に結合し、圧縮弾力と釈放弾力を提供し、  可動式掛け金構造は回転球体の片側に組み合わせられ、弾力装置を連結する、回転球体を動かすことにより、可動式掛け金構造を動かして圧縮弾力を生成し、また、回転球体を離すことにより、弾力装置を弾力を釈放させて回転球体を回転させて補助起動ねじれ力と回転速度を生成させることを特徴とする一種の補助起動力付きの腕力トレーニングボール。
【請求項２】
当該上部ケース下方の端の周縁には一対のノッチが設けられていることを特徴とする請求項１記載の補助起動力付きの腕力トレーニングボール。
【請求項３】
当該下部ケースの底の端には開き口が設けられていることを特徴とする請求項１記載の補助起動力付きの腕力トレーニングボール。
【請求項４】
当該開き口は計数器に連結していることを特徴とする請求項３記載の補助起動力付きの腕力トレーニングボール。
【請求項５】
当該回転球体の両側にはそれぞれに連結座に連結していることを特徴とする請求項１記載の補助起動力付きの腕力トレーニングボール。
【請求項６】
当該連結座は一つの抜きつけ穴によって突き抜けられて連結されていることを特徴とする請求項５記載の補助起動力付きの腕力トレーニングボール。
【請求項７】
当該回転球体には刻み溝が設けられていることを特徴とする請求項１記載の補助起動力付きの腕力トレーニングボール。
【請求項８】
当該刻み溝はリングに連結していることを特徴とする請求項７記載の補助起動力付きの腕力トレーニングボール。
【請求項９】
当該リングはゴムリングであることを特徴とする請求項８記載の補助起動力付きの腕力トレーニングボール。
【請求項１０】
当該外リングの片端の穴には固定座が設けられていることを特徴とする請求項１記載の補助起動力付きの腕力トレーニングボール。
【請求項１１】
当該固定座には嵌め溝が設けられていることを特徴とする請求項１０記載の補助起動力付きの腕力トレーニングボール。
【請求項１２】
当該弾力装置は収納ケース、弾力素子、閉めカバー、駆動軸及びベアリングを含み、
収納ケースは外リングに連結して固定し、収納ケースの中心位置には一つの穴が設けられ、この穴は外リングの穴と照準し合っており、収納ケースの周縁には開き口を設け、
弾力素子は収納ケースに収められており、弾力素子の第一端はフック状になっており、笑納ケースの周縁上の開き口を引っ掛けている、弾力素子の第二端は弾力素子の中心位置にあり、
閉めカバーは収納ケースに連結して収納ケースを閉じ、弾力素子を収納ケースに固定させ、また閉めカバーの中心位置には通り抜け穴が設けられ、当該通り抜け穴の周縁には欠け口が設けられ、
駆動軸は中空状の軸であり、駆動軸の両端には固定ブロックと駆動ブロックがそれぞれに設けられ、当該駆動軸の片端は閉めカバーの通り抜け穴を介して進入しており、固定ブロックから欠け口を通って収納ケース内に入って弾力素子の第二端と掛け合い、弾力素子と駆動軸とを連動させる構造であり、
ベアリングは駆動軸の片端についていることを特徴とする請求項１記載の補助起動力付きの腕力トレーニングボール。
【請求項１３】
当該弾力素子は螺旋状の圧縮スプリングであることを特徴とする請求項１２記載の補助起動力付きの腕力トレーニングボール。
【請求項１４】
当該可動式掛け金構造は掛け金、軸及び位置決め素子を含み、
掛け金は両端には穴と欠け口がそれぞれに設けられ、穴は回転球体の片側に照準して連結し、欠け口は弾力装置に合わせながら連結し、
軸は片端にリング溝があり、軸の片端を介して掛け金の穴、回転球体を通り抜け、Ｃバックルでリング溝に留め、掛け金を回転球体の片側に連結させ、
位置決め素子は回転球体の片側内で掛け金が回転して揺らす軌跡に対応する位置に設置され、掛け金を吸引して固定することができることを特徴とする請求項１記載の補助起動力付きの腕力トレーニングボール。
【請求項１５】
当該掛け金は磁気伝導性の金属が使用されていることを特徴とする請求項１４記載の補助起動力付きの腕力トレーニングボール。
【請求項１６】
当該位置決め素子は磁石ブロックが使用されていることを特徴とする請求項１４記載の補助起動力付きの腕力トレーニングボール。
【考案の詳細な説明】
【技術分野】
【０００１】
当考案は補助起動力付きの腕力トレーニングボールであり、特に初期回転速度の補助起動力を生成する腕力トレーニングボールを指している。
【背景技術】
【０００２】
腕力トレーニング器具は腕力の鍛錬に多く使われ、特に個人の両腕筋肉のトレーニングやリハビリに使用される場合は、著しい運動及び治療の効果が上げられる。特許文献１及び特許文献２のそれぞれは腕力回転運動を主要とする腕力トレーニング器具に関するものである。簡単に片手で操作することによって腕力鍛錬の目的に達成できる。また、当該腕力トレーニング器具の最初の操作手順は、有効な起動回転速度とねじれ力を得ることである。それにより、使用者は腕の力で操作して回転を持続させ、腕力の鍛錬効果を果たせる。これで、腕力トレーニング器具の起動構造は、腕力トレーニング器具の操作において大切な役割であることが分かる。
【０００３】
周知の腕力トレーニングの起動方法と構造について、前述の特許文献１と特許文献２で掲示されたのは、ひもで回転球体を巻きつくような方法で腕力ボールを起動させる基本的なものであり、この方法の欠点は、ひもを引っ張って操作する中で、ひもが回転球体のノッチの軌道や方向を容易に外れるので、ひもが引っ張り出されると、回転球体から外れてしまい、容易かつ精密に巻きつく動力で回転機能を実現できないため、回転球体の起動で失敗率が高くなり、回転球体が起動できても速い初期回転速度とねじれ力が得られない。
【０００４】
また、特許文献３と特許文献４では、ラックギアと回転球体の周縁上の歯と噛み合うことにより、ラックギアの引っ張り力で回転球体に初期速度の起動補助動力と回転速度を生成させる。ただし、この種の周知の起動構造の欠点は、回転球体が回転し終った度に固定の軸方向に止まることはないので、ラックギアと歯との噛み合いは精密ではない。指で上カバーを回しながら、上カバーの穴を歯の軌道に合わせなければならないので、操作には不便がある。しかも、これらの歯は回転球体の円周位置にあるので、ラックギアは極大の引っ張り力がなければ、回転球体を推進するより大きな力が形成できないため、操作には手間がかかってしまう。また、ラックギアの引っ張る過程において、腕力ボールを握るもう一本の手のひらや指を傷つける恐れがあるので、安全性が欠けている。
【０００５】
さらに、特許文献５は、従来の手握り方式の電動補助起動器具掲示している。電動補助起動器具の摩擦輪と回転球体との間の接触と摩擦を介し、回転球体に補助動力と初期速度を生成させる。だが、この起動方法には欠点がある。それは、電動補助起動器具の摩擦輪と回転球体とが簡単に照準できないので、操作は不便である。しかも、当該摩擦輪は回転球体からが容易に脱落し、回転球体を持つもう一本の手のひらと指を傷つける危険があるため、操作には安全性が欠けている。それに、回転球体は特定の軌道上に固定していないため、摩擦輪の接触と摩擦で回転球体の回転起動が得られる動力と回転速度は、より大きい起動動力と初期速度に対する要求には一致できない。
【０００６】
以上に述べられた周知の従来の腕力トレーニングボールの起動構造は、ひもであろうか、ラックギアであろうか、または外部電動起動などの方法であろうか,いずれも両手で補助起動機材を操作しなければならないので、片手の不自由の心身障害者に利用してもらえない。また、ひも、ラックギア又は電動摩擦輪はいずれも、目視で回転球体を操作する必要があるので、目の不自由や目の見えない心身障害者にも使ってもらえないため、腕力トレーニングの操作と運用の範囲は大いに制限されてしまう。
【０００７】
【特許文献１】台湾特許第１３５０５８号明細書
【特許文献２】米国特許第５８００３１１号明細書
【特許文献３】米国特許第６１８６９１４号明細書
【特許文献４】台湾特許第３６４３８３号明細書
【特許文献５】米国特許第Ｄ４６４６８７号明細書
【考案の開示】
【考案が解決しようとする課題】
【０００８】
本考案の主要目的は、一種の補助起動力付きの腕力トレーニングボールを提供することにある。指で回転球体を動かし、回転球体を物体の表面に接触させて直線に引くようにし、弾力の圧縮を累積させ、そして、回転球体が離される際に、より大きい反対方向の補助初期動力と回転速度を生成させ、回転球体に、迅速、有効により良い補助動力及び回転速度を獲得させる。
【０００９】
本考案のもう一つの目的は、一種の補助起動力付きの腕力トレーニングボールを提供し、特に外部の補助起動器材による操作が必要なく、補助起動力と回転速度を獲得することにより、精密、安全の補助起動操作の効果を提供することにある。
【００１０】
また、本考案にはもう一つの目的がある。それは、一種の補助動力付きの腕力トレーニングボール、特に目視する必要がなく、片手で操作できるものを提供することである。例えば、指で回転球体を動かしたり、片手で腕力トレーニングボールを持って物体表面に接触させて直線に動かしたりすることにより、片手の不自由や目の不自由、盲人などの心身障害者に容易に使用してもらえるものである。
【００１１】
以上の目的を実現するのに、本考案の補助起動力付きの腕力トレーニングボールには、上部ケースと下部ケースが含まれている。当該上部ケースと下部ケースは互いに組み合っており、回転球体を覆って中に収めている。上部ケースの頂上には開き口があり、部分の回転球体を露出させている。また、その回転球体は両端のそれぞれに回転軸があり、二本の回転軸は一つの外リングに連結している。外リングには少なくとも一つの弾力装置が設けられており、そして、当弾力装置に対応する回転球体の一側面内には最低一つの可動式掛け金が設置されている。この可動式掛け金は弾力装置に連結するのに使われる。回転球体の局部回転や物体表面への接触で直線に引きずることにより、弾力装置の圧縮弾力を累積する。一旦、回転球体が離されると、弾力装置が釈放する弾力によって反対方向への回転を起動させる補助動力と初期回転速度は生成される。そして、可動式掛け金は遠心力を利用して弾力装置を離れ、精密で安全に、目視が必要ない片手で操作できる効果を実現する。
【課題を解決するための手段】
【００１２】
請求項１の考案は、上部ケースと下部ケース、回転球体、外リング、弾力装置及び可動式掛け金構造を含み、
上部ケースと下部ケースは中が中空状で、上部ケースと下部ケースは組み立てられるものであり、中に収納スペースを形成し、上部ケースの頂上には開き口を設け、
回転球体は上部ケースと下部ケースとの間に形成された収納スペースに収められ、両側にはそれそれの回転軸が設けられており、部分の回転球体は上部ケースの頂上にある開き口から露出し、
外リングは下部ケースの頂上に位置しており、外リングの両端にはそれぞれの穴が設けられ、回転球体の両側の回転軸を進入させて連結させ、
弾力装置は外リングの片端の穴に対応する位置に結合し、圧縮弾力と釈放弾力を提供し、  可動式掛け金構造は回転球体の片側に組み合わせられ、弾力装置を連結する、回転球体を動かすことにより、可動式掛け金構造を動かして圧縮弾力を生成し、また、回転球体を離すことにより、弾力装置を弾力を釈放させて回転球体を回転させて補助起動ねじれ力と回転速度を生成させることを特徴とする一種の補助起動力付きの腕力トレーニングボールとしている。
請求項２の考案は、当該上部ケース下方の端の周縁には一対のノッチが設けられていることを特徴とする請求項１記載の補助起動力付きの腕力トレーニングボールとしている。
請求項３の考案は、当該下部ケースの底の端には開き口が設けられていることを特徴とする請求項１記載の補助起動力付きの腕力トレーニングボールとしている。
請求項４の考案は、当該開き口は計数器に連結していることを特徴とする請求項３記載の補助起動力付きの腕力トレーニングボールとしている。
請求項５の考案は、当該回転球体の両側にはそれぞれに連結座に連結していることを特徴とする請求項１記載の補助起動力付きの腕力トレーニングボールとしている。
請求項６の考案は、当該連結座は一つの抜きつけ穴によって突き抜けられて連結されていることを特徴とする請求項５記載の補助起動力付きの腕力トレーニングボールとしている。
請求項７の考案は、当該回転球体には刻み溝が設けられていることを特徴とする請求項１記載の補助起動力付きの腕力トレーニングボールとしている。
請求項８の考案は、当該刻み溝はリングに連結していることを特徴とする請求項７記載の補助起動力付きの腕力トレーニングボールとしている。
請求項９の考案は、当該リングはゴムリングであることを特徴とする請求項８記載の補助起動力付きの腕力トレーニングボールとしている。
請求項１０の考案は、当該外リングの片端の穴には固定座が設けられていることを特徴とする請求項１記載の補助起動力付きの腕力トレーニングボールとしている。
請求項１１の考案は、当該固定座には嵌め溝が設けられていることを特徴とする請求項１０記載の補助起動力付きの腕力トレーニングボールとしている。
請求項１２の考案は、当該弾力装置は収納ケース、弾力素子、閉めカバー、駆動軸及びベアリングを含み、
収納ケースは外リングに連結して固定し、収納ケースの中心位置には一つの穴が設けられ、この穴は外リングの穴と照準し合っており、収納ケースの周縁には開き口を設け、
弾力素子は収納ケースに収められており、弾力素子の第一端はフック状になっており、笑納ケースの周縁上の開き口を引っ掛けている、弾力素子の第二端は弾力素子の中心位置にあり、
閉めカバーは収納ケースに連結して収納ケースを閉じ、弾力素子を収納ケースに固定させ、また閉めカバーの中心位置には通り抜け穴が設けられ、当該通り抜け穴の周縁には欠け口が設けられ、
駆動軸は中空状の軸であり、駆動軸の両端には固定ブロックと駆動ブロックがそれぞれに設けられ、当該駆動軸の片端は閉めカバーの通り抜け穴を介して進入しており、固定ブロックから欠け口を通って収納ケース内に入って弾力素子の第二端と掛け合い、弾力素子と駆動軸とを連動させる構造であり、
ベアリングは駆動軸の片端についていることを特徴とする請求項１記載の補助起動力付きの腕力トレーニングボールとしている。
請求項１３の考案は、当該弾力素子は螺旋状の圧縮スプリングであることを特徴とする請求項１２記載の補助起動力付きの腕力トレーニングボールとしている。
請求項１４の考案は、当該可動式掛け金構造は掛け金、軸及び位置決め素子を含み、
掛け金は両端には穴と欠け口がそれぞれに設けられ、穴は回転球体の片側に照準して連結し、欠け口は弾力装置に合わせながら連結し、
軸は片端にリング溝があり、軸の片端を介して掛け金の穴、回転球体を通り抜け、Ｃバックルでリング溝に留め、掛け金を回転球体の片側に連結させ、
位置決め素子は回転球体の片側内で掛け金が回転して揺らす軌跡に対応する位置に設置され、掛け金を吸引して固定することができることを特徴とする請求項１記載の補助起動力付きの腕力トレーニングボールとしている。
請求項１５の考案は、当該掛け金は磁気伝導性の金属が使用されていることを特徴とする請求項１４記載の補助起動力付きの腕力トレーニングボールとしている。
請求項１６の考案は、当該位置決め素子は磁石ブロックが使用されていることを特徴とする請求項１４記載の補助起動力付きの腕力トレーニングボールとしている。
【考案の効果】
【００１３】
本考案は一種の補助起動力付きの腕力トレーニングボールを提供することにある。指で回転球体を動かし、回転球体を物体の表面に接触させて直線に引くようにし、弾力の圧縮を累積させ、そして、回転球体が離される際に、より大きい反対方向の補助初期動力と回転速度を生成させ、回転球体に、迅速、有効により良い補助動力及び回転速度を獲得させる。特に外部の補助起動器材による操作が必要なく、補助起動力と回転速度を獲得することにより、精密、安全の補助起動操作の効果を提供することにある。特に目視する必要がなく、片手で操作できるものを提供することである。例えば、指で回転球体を動かしたり、片手で腕力トレーニングボールを持って物体表面に接触させて直線に動かしたりすることにより、片手の不自由や目の不自由、盲人などの心身障害者に容易に使用してもらえるものである。
【考案を実施するための最良の形態】
【００１４】
図１、図２、図３では、当考案の補助起動力付き腕力トレーニングボール１００の第一実施例である。ここで、腕力トレーニングボール１００は上部ケース１００と下部ケース２０を含めている。中は中空状態で、上部ケース１０と下部ケース２０は自由に組み合わせられたり、分解されたりすることができる。当該上部ケース１０の頂上には開き口１１があり、下方の周縁にはノッチ１２と１３が対になっている。下部ケース２０の下方の周縁には一対の耳２１と２２があり、上部ケース１０のノッチ１２と１３を介して下部ケース２０の耳２１と２２と噛み合う。また、一対のボルト２１１と２２１によって固定され、上部ケース１０と下部ケース２０を連結して収納スペースＡに形成する。上部ケース１０と下部ケース２０との組立構造は前述のノッチ１２と１３、そして耳２１と２２の連結構造に限らない。類似した組立効果が得られるものは本考案の範囲に属すべきである。
【００１５】
回転球体３０の両側にはそれぞれに回転軸３１と３２がある。またその両側のそれぞれには連結座３１１と３２１、回転球体３０の両側の連結座３１１と３２１を突き抜ける、つき抜け穴３１２が設けられている（図２と図３が示すように）。
【００１６】
外リング４０は下部ケース２０の頂上に設けられ、外リング４０の両端にはそれぞれに穴４１と４２が設けられ、当該外リング４０の穴４１の内部周縁には固定座４３が設けられており、この固定座４３の中は一対の嵌め溝４３１が設置されている。
【００１７】
そして、図４では、弾力装置５０は収納ケース５１、弾力素子５２、閉めカバー５３、駆動軸５４とベアリング５５を含めている。収納ケース５１の外部に一対の突出肋５１１が設けられ、当該突出肋５１１は前述外リング４０の固定座４３の嵌め溝４３１に嵌め合い、収納ケース５１を外リング４０に連結して固定させる。収納ケース５１の中心には穴５１２を設け、当該穴５１２は外リング４０の穴４１に照準し、収納ケース５１の周縁には開き口５１３が設けられている。
【００１８】
前述の弾力素子５２は収納ケース５１に収められ、当該弾力素子５２のタイプには制限がない。本考案では、螺旋状の圧縮スプリングを例にとって説明している。弾力素子５２の第一端５２１はフック状で収納ケース５１の開き口５１３を引っ掛けている。そして、弾力素子５２の第二端５２２は弾力素子５２の中心位置にある。
【００１９】
前述の閉めカバー５３は収納ケース５１に連結して収納ケース５１を閉めることで、弾力素子５２を収納ケース５１に固定させる。また、閉めカバー５３の中心位置には通り抜け穴５３１が設けられ、通り抜け穴５３１の周縁には欠け口５３２がある。
【００２０】
前述の駆動軸５４は中空状の軸であり、当該駆動軸５４の両端にはそれぞれに固定ブロック５４１と駆動ブロック５４２がある。駆動軸５４の片端は閉めカバー５３の通り抜け穴５３１を経由して入り、固定ブロック５４１で欠け口５３２を通り抜けて収納ケース５１内に入り、そして、弾力素子５２の第二端５２２と引っ掛け合うことにより、弾力素子５２と駆動軸５４とを連動構造にする。前述のベアリング５５は駆動軸５４の片端に置かれている。
【００２１】
前述回転球体３０の片側の回転軸３１はベアリング５５、駆動軸５４の内部を通り抜け、収納ケース５１の中心の穴５１２を経由して外リング４０の穴４１に入る。回転球体３０の別側の回転軸３２は外リング４０の穴４２に挿して入る。これで、回転球体３０は外リング４０に連結できる。かつ、回転球体３０を上部ケース１０と下部ケース２０との間の収納スペースＡに収める。そして、回転球体３０の局部を上部ケース１０の頂上の開き口に露出させる。
【００２２】
図５は、可動式掛け金構造６０を示す図である。当構造は、掛け金６１、軸６２、及び少なくとも一つの位置決め素子６３を含めている。ここで、掛け金６１は磁気伝導性の金属や磁性シートで構成される。掛け金の両端にはそれぞれに穴６１１と欠け口６１２が設けられている。穴６１１は前述回転球体３０の片側の連結座３１１に合わせている。当該欠け口６１２は前述の弾力素子５０の駆動軸５４にある駆動ブロック５４２に引っ掛けている。当該軸６２の片端にはリング溝６２１が設けられ、軸６２の片端を介して穴６１１、つき抜け穴３１２をつき抜け、そして、Ｃバックル６２２を介してリング溝６２１に嵌め、掛け金６１を連結座３１１に連結させ、円弧状の角度で回転できるようにさせる。
【００２３】
前述の位置決め素子６３は回転球体３０の片側、掛け金６１が回転移動の軌跡に対応する位置に固定されている。当該位置決め素子６３は磁石や磁気伝導性の金属ブロックであり、掛け金６１を回転球体３０の静止や低速状態において掛け金６１を吸引し、掛け金６１を回転球体３０が静止や低速の状態においても、駆動軸５４と引っ掛けあう連結関係を維持させる。当該掛け金６１と位置決め素子６３との間の連結固定構造は前述の磁気による吸引限らず、他に同様効果のある固定位置決め構造も本考案の範囲に属すべきである。
【００２４】
前述の弾力装置５０と可動式掛け金構造６０との連結構造は、前述の駆動軸５４の駆動ブロック５４２と掛け金６１の欠け口６１２との間の連結に限らない。他に同様効果を持つ連結構造は全て本考案の主張範囲に属すべきである。
【００２５】
図６は、前述の本考案腕力トレーニングボール１００の操作状態である。ここで、指で上部ケース１０の開き口１１から回転球体３０を動かして回転させ、回転球体３０が反時計回りに回転する（図６の矢印方向）ことにより、可動式掛け金構造６０の掛け金６１を、弾力装置５０の駆動軸５４を引っ掛けて時計回りに回転させる。これにより、駆動軸５４の固定ブロック５４１を弾力素子５２を動かして巻きついて圧縮状態にさせ、弾力素子５２に圧縮弾力を与える。
【００２６】
次に図７を参照すること。指が回転球体３０を離したときに、当該弾力素子５２は弾力を釈放する。すなわち、反対方向に駆動軸５４を時計回りに回転させる（図７の矢印方向）。ここで、駆動軸５４は駆動ブロック５４２で反対方向に可動式掛け金構造６０の掛け金６１を引っ掛け、回転球体３０を動かして反時計回りに回転させる。これで、回転球体３０は初期の起動ねじれ力と回転速度を獲得し、回転球体３０が外力により上部ケース１０と下部ケース２０に加えた揺動加速操作には役立てる。即ち、回転球体３０が再び使用者の片手で握ることにより、上部ケース１０と下部ケース２０に加速力を与える際に、回転球体３０は最初の補助起動ねじれ力と回転速度の助力で速やかに高速と高ねじれ力の操作状態を形成することができる。また、回転球体３０が高速回転の過程において、掛け金６１が受ける遠心力の影響は遥かに位置決め素子６３の吸引力より大きいので、掛け金６１は遠心力の影響を受けて上方に揺らして位置決め素子６３から分離し、弾力装置５０と可動式掛け金構造６０は互いに分離する。これで、回転球体３０は正常に運転でき、外部の補助器材、例えば、ひも、ラックギア又は電動起動器具をなくても、補助起動の動力、ねじれ力及び回転速度の本考案の効果を獲得することができる。
【００２７】
図７が示す腕力トレーニングボール１００の回転球体３０が低速回転や静止状態に復帰する際に、可動式掛け金構造６０はより大きな遠心力を受けなければ、掛け金６１は重力で揺りながら位置決め素子６３に復帰する。位置決め素子６３に吸引された後に、第五図が示す最初の弾力装置５０と可動式掛け金構造６０との連結状態に戻る。
【００２８】
図８と図９は、本考案の腕力トレーニングボール１００の第二実施例である。ここで、回転球体３０には少なくとも一つの刻み溝３３が設けられている。刻み溝３３はリング３３１と嵌め合っている。リング３３１にタイプには制限がないが、本考案では表面に摩擦力を持つゴムリングを使用している。
【００２９】
図１０では、前述の図８と図９が示す本考案腕力トレーニングボール１００の第二実施例の操作状態、すなわち片手での操作状態を示す図である。ここで、片手で上部ケース１０と下部ケース２０を持ち、上部ケース１０の開き口１１を下に向け、回転球体３０の露出部を下に向けて物体表面２００と接触させる。当該物体の表面２００はテーブル、床やその他の平坦な物体表面でよい。片手で直線の軌跡に沿って回転球体３０を引きずったり、引っ張ったりすることで、例えば、図１０は左へ直線の軌跡で引きずることを表示し、回転球体３０をリング３３１と物体表面２００との間の摩擦に接触させ、回転球体３０に摩擦運動の影響を与えて反時計回りに回転させている。図６のように、指で回転球体３０を動かす動作と同じ効果のように、弾力装置５０の弾力素子５２に圧縮弾力を貯めさせる。腕力トレーニングボール１００を上に上げ、回転球体３０の局部表面を物体表面２００から分離する時に、弾力素子５２が釈放する弾力は回転球体３０を時計回りに回転させ、補助起動ねじれ力と回転速度を生成し、図７が示している運動操作の状態と効果をも実現できる。この実施方法は片手の不自由の心身障害者にとっても利用できる。
【００３０】
図１１は、本考案の腕力トレーニングボール１００の第三実施例を示す図である。その中、腕力トレーニングボール１００の下部ケース２０の底には開き口２３を設け、当該開き口２３は計数器７０に連結している。計数器７０にはディスプレイ７１が設けられている。当該計数器７０は回転球体３０の回転速度を計数でき、そしてディスプレイ７１で表示する。当該計数器７０が回転球体３０の回転速度を計数する方法には制限がなく、光電計数と位置決め素子６３に対応する磁力計数方法でもよい。
【図面の簡単な説明】
【００３１】
【図１】本考案の第一実施例の外形構造立体図である。
【図２】図１の分解構造立体図である。
【図３】図２中の回転球体を別の角度から見た外形立体図である。
【図４】側面図で、弾力装置の構造を示す図である。
【図５】側面図で、可動式掛け金の構造を示す図である。
【図６】側面図で、本考案の指で回転ボールを動かした操作の状態を示す図である。
【図７】側面図で、可動式掛け金が遠心力の影響を受け、上の方へ跳ね上がって位置決め素子を離れる状態を示す図である。
【図８】本考案の第二実施例の外形構造立体図である。
【図９】図８の分解構造立体図である。
【図１０】本考案の回転球体を片手で操作した状態を示す図である。
【図１１】本考案の第三実施例を示す図である。
【符号の説明】
【００３２】
１００  腕力トレーニングボール
１０  上部ケース
１１  開き口
１２、１３  ノッチ
２０  下部ケース
２１、２２  耳
２１１、２２１  ボルト
２３  開き口
３０  回転球体
３１、３２  回転軸
３１１、３２１  連結座
３１２  つき抜け穴
３３  刻み溝
３３１  リング
４０  外リング
４１、４２、５１２、６１１  穴
４３  固定座
４３１  嵌め溝
５０  弾力装置
５１  収納ケース
５１１  突出肋
５１３  開き口
５２  弾力素子
５２１  第一端
５２２  第二端
５３  閉めカバー
５３１  通り抜け穴
５３２  欠け口
５４  駆動軸
５４１  固定ブロック
５４２  駆動ブロック
５５  ベアリング
６０  可動式掛け金構造
６１  掛け金
６１２  欠け口
６２  軸
６２１  リング溝
６２２  Ｃバックル
６３  位置決め素子
７０  計数器
２００  物体表面
Ａ  収納スペース
【図１】
0003127440.tif 000003
【図２】
0003127440.tif 000004
【図３】
0003127440.tif 000005
【図４】
0003127440.tif 000006
【図５】
0003127440.tif 000007
【図６】
0003127440.tif 000008
【図７】
0003127440.tif 000009
【図８】
0003127440.tif 000010
【図９】
0003127440.tif 000011
【図１０】
0003127440.tif 000012
【図１１】
0003127440.tif 000013